(57)【要約】【課題】操作アームを回動操作して任意の目盛り位置で停止させた後の操作アームの戻りに起因する調光誤差を防止し、意図した調光を確実に得ることができる調光用フェーダを、従来品の基本構成を大幅に変更することなく低コストで提供可能とする。【解決手段】操作アーム５の回動に所定の負荷を与える弾発部材９として円筒状のシリコンゴム部材を用い、操作アーム５の回動に伴う弾発部材９の捩れを防止して、調光操作後の操作アーム５の戻りに起因する調光誤差を防ぎ、意図した照明を確実に得ることができる信頼性の高い調光操作を可能にした。【選択図】  図１
2005268108.tif 000002
【特許請求の範囲】
【請求項１】
少なくとも、基板と操作アームと抵抗器を備え、前記操作アームの一端を前記基板に回動自在に軸止し、前記操作アームの回動量に応じて前記抵抗器の出力値を可変せしめると共に、前記操作アームの回動に所定の負荷を与える弾発部材を前記軸周りに装着してなる調光用フェーダであって、前記弾発部材が筒状または柱状に形成されたゴム製の弾発部材であることを特徴とする調光用フェーダ。
【請求項２】
前記弾発部材が筒状に形成されており、前記操作アームを前記基板に回動自在に軸止する軸が前記基板に設けた軸受けで回動自在に支持されており、前記筒状弾発部材を前記軸受けに外嵌したことを特徴とする請求項１記載の調光用フェーダ。
【請求項３】
前記弾発部材が柱状に形成されており、前記操作アームを前記基板に回動自在に軸止する軸を前記柱状弾発部材の軸孔に遊挿し、該柱状弾発部材を軸受けとして兼用したことを特徴とする請求項１記載の調光用フェーダ。
【請求項４】
前記弾発部材がシリコンゴムにより一体成形されていることを特徴とする請求項１〜３のいずれか１項記載の調光用フェーダ。
【請求項５】
請求項１〜４のいずれか１項記載の調光用フェーダを装着してなる調光装置。
【発明の詳細な説明】
【技術分野】
【０００１】
本発明は、例えば劇場舞台、ＴＶスタジオ、宴会場などの演出空間で使用される照明などの調光装置に組み込まれる調光用フェーダとこれを装着した調光装置に関する。
【背景技術】
【０００２】
従来、この種調光用フェーダとして、図４に示すように、抵抗器と配線を備えた基板１０１に、摺動子を備えた操作アーム１０２の一端を回動自在に軸止すると共に、操作アーム１０２の回動に所定の負荷を与えるコイルバネ１０３を基板１０１に装着し、操作アーム１０２の回動量に応じて抵抗器の電圧を略０％から略１００％まで摺動子を介して得るようにしたものが知られている（例えば特許文献１など参照）。
【０００３】
【特許文献１】実開昭６０−１７４１９８号公報
【発明の開示】
【発明が解決しようとする課題】
【０００４】
前述した従来の調光用フェーダによれば、コイルバネ１０３の弾発力により操作アーム１０２に所定の負荷を与えて、操作アーム１０２の回動操作（調光操作）をスムーズに行えると共に、操作アーム１０２を任意の目盛り位置で固定させて不用意な移動を防止し得るようになっているが、操作アーム１０２を回動させた際にコイルバネ１０３が捩れるため、操作アーム１０２を任意の目盛り位置で停止させ操作の手を離した時にコイルバネ１０３に戻り（バックラッシュ）が生じ、操作アーム１０２が任意の目盛り位置から動いてしまい意図した調光が得られなくなる虞れがあった。
このような操作アーム１０２のずれは、調光装置の上面パネルの傾斜面部や、小型の調光装置の前面パネルに調光用フェーダを装着した際、コイルバネ１０３のバックラッシュと操作アーム１０２の自重が影響し顕著に現れる傾向がある。
【０００５】
本発明はこのような従来事情に鑑みてなされたもので、その目的とする処は、操作アームを回動操作して任意の目盛り位置で停止させた後の操作アームの戻りに起因する調光誤差を防止し、意図した調光を確実に得ることができる新規な調光用フェーダを、従来品の基本構成を大幅に変更することなく低コストで提供可能とすることにある。
【課題を解決するための手段】
【０００６】
以上の目的を達成するために、本発明に係る調光用フェーダは、少なくとも、基板と操作アームと抵抗器を備え、前記操作アームの一端を前記基板に回動自在に軸止し、前記操作アームの回動量に応じて前記抵抗器の出力値を可変せしめると共に、前記操作アームの回動に所定の負荷を与える弾発部材を前記軸周りに装着してなり、前記弾発部材が筒状または柱状に形成されたゴム製の弾発部材であることを特徴とする。
【０００７】
本発明の具体的態様として、前記操作アームを前記基板に回動自在に軸止する軸の一端側が前記操作アームに固定され、該軸の他端側は前記基板を貫通して操作アーム取付け面と反対側の面に突出すると共に、その突出端部に止着した抜け止め部材と前記基板の間に前記弾発部材を介在させた態様をあげることができる。
この場合、操作アームを基板に回動自在に軸止する軸の他端側の突出量を調整することで、弾発部材の弾発力を任意に設定することができる。よって、操作アームの回動操作に与える負荷を使用者の要求に応じて適宜に調節することができるなどの効果がある。
【０００８】
また本発明は、前記弾発部材が筒状に形成されており、前記操作アームを前記基板に回動自在に軸止する軸が前記基板に設けた軸受けで回動自在に支持されており、前記弾発部材を前記軸受けに外嵌したことを特徴とする。
【０００９】
また本発明は、前記弾発部材が柱状に形成されており、前記操作アームを前記基板に回動自在に軸止する軸を前記柱状弾発部材の軸孔に遊挿し、前該弾発部材を軸受けとして兼用したことを特徴とする。
【００１０】
本発明において、弾発部材は天然ゴム、イソブチレン、ブタジエン、ブチル、ウレタン、アクリル、シリコン、フッ素などの各種ゴム材料で成形することができるが、これらの中でも、シリコンゴムにより一体成形されていることが好ましい。
【００１１】
また本発明は、前述したいずれかの調光用フェーダを装着してなる調光装置を含むものである。
【発明の効果】
【００１２】
本発明は以上の構成としたことにより以下に記載されるような効果を奏する。
【００１３】
（請求項１）
操作アームの回動に所定の負荷を与えるための弾発部材として筒状または柱状のゴム製部材を用いたので、操作アームの回動操作に伴い捩れなどが発生する虞れが少ない。よって、操作アームを回動操作して任意の目盛り位置で停止させた後の調光誤差を防止し得、意図した照明を確実に得ることができる信頼性の高い調光操作が可能になる。
また、従来品の基本構成を大幅に変更することなく、従来のコイルバネに代えて筒状または柱状のゴム製部材を用いるという低コストな手段で前記信頼性の高い調光操作が可能になるので、商品価値の高い新規な調光用フェーダを提供することができるなど、多くの効果を奏する。
【００１４】
（請求項２）
筒状の弾発部材を軸受けに外嵌するだけで前記したような信頼性の高い調光操作が可能になるので、請求項１による前述の効果をより実効あるものとし得る。
【００１５】
（請求項３）
柱状の弾発部材を軸受けとしても兼用させて前記信頼性の高い調光操作が可能になるので、請求項１による前述の効果をより実効あるものとし得る。
【００１６】
（請求項４）
弾発部材をシリコンゴム製とすることで、他のゴム材料や従来のコイルバネを用いる場合に比べ弾発部材の耐久性を向上させることができ、且つ摩擦係数が軽減されて操作アームの回動操作をよりスムーズに行えるようになるなどの効果がある。
【００１７】
（請求項５）
前記したような信頼性の高い調光操作が得られ、操作性にも優れた新規な調光装置を提供することができる。
【発明を実施するための最良の形態】
【００１８】
以下、本発明の実施形態例を図面を参照して説明する。
【００１９】
図１及び図２に示す調光用フェーダＡは、抵抗器１と配線２を設けたプリント基板３に、摺動子４を備えた操作アーム５の一端を軸６で回動自在に軸止すると共に、操作アーム５の遊端を案内する目盛り７付きのカバー８をプリント基板３に取り付けたもので、前記軸６の周りに、操作アーム５の回動に所定の負荷を与える弾発部材９を備えている。
【００２０】
軸６は一端側を操作アーム５に溶着等により固定されており、プリント基板３に固定した軸受け１０の軸孔１０ａに挿入されて回動自在に支持されると共に、その他端側はプリント基板３の操作アーム取付け面と反対側の面に突出し、且つその突出端部に抜け止め部材としての座金１１とＥリング１２を止着してプリント基板３に固定されている。
操作アーム５の遊端には操作用の摘み５ａが装着されている。軸受け１０は外周の一部を切り欠いた略Ｄ字形のものを図示したが、円柱形の軸受けを用いても構わない。
【００２１】
弾発部材９はゴム材料により筒状に一体成形されたもので、軸受け１０に外嵌されており、プリント基板３と抜け止め部材（座金１１，Ｅリング１２）とで挟持されて所定の弾発力を発揮し、操作アーム５の回動操作に所定の負荷を与えている。
本例では弾発部材９を所定硬度のシリコンゴムからなるものとして、操作アーム５の回動がスムーズに行えると共に、永年の使用にも耐え得る耐久性を備えたものとしている。
【００２２】
以上の構成になる本例の調光用フェーダａによれば、プリント基板３と抜け止め部材（座金１１，Ｅリング１２）の間で弾発部材９が弾発力を発揮することで操作アーム５に所定の負荷が附与されるので、操作アーム５の回動操作（調光操作）をスムーズに行えると共に、操作アーム５を任意の目盛り位置で固定して不用意な移動を防止することができる。
また、弾発部材９が円筒状のゴム材料からなるので、該弾発部材がコイルバネである場合のように、操作アーム５の回動に伴い弾発部材９に捩れが生じることがない。よって、操作アーム５を回動操作し任意の目盛り位置で停止させ操作の手を離しても、操作アーム５がその目盛り位置から動いてしまうようなことが無いので、信頼性の高い調光操作を行うことができる。
また、弾発部材９をシリコンゴム製としたので、他のゴム材料や従来のコイルバネを用いる場合に比べ弾発部材９の耐久性を向上させることができ、且つ摩擦係数が軽減されて操作アーム５の回動操作をよりスムーズに行うことができるようになる。
【００２３】
図３には、前述した調光用フェーダＡにおける弾発部材を円柱状のブロック体に変更した例を示す。それ以外の構成は前記と同様のため、重複する説明を省略して相違点のみ以下に述べる。
すなわち、この例においては、シリコンゴムにより円柱状に一体形成された弾発部材９’を用い、該弾発部材９’の中心部に前記軸６が遊挿される軸孔１３を形成して弾発部材９’を軸受けとして兼用し、前述した軸受け１０を不要としている。
この例によれば、弾発部材９’で軸受けを兼用して部品点数を低減することができ、調光用フェーダＡをより低コストで提供することができる。
【００２４】
上記した二例の調光用フェーダＡは、例えば劇場舞台の客席後方などに据え置き状に設置される大型の調光装置の上面パネルの水平面部や傾斜面部に組み込んだり、舞台袖などの壁面に取り付けられる小型の調光装置の前面パネルに組み込んで使用することができる。
【００２５】
以上、本発明に係る調光用フェーダと調光装置の実施形態の例を図面を参照して説明したが、本発明は図示例に限定されるものではなく、特許請求範囲の各請求項に記載された技術的思想の範疇において種々の変更が可能であることは言うまでもない。
【図面の簡単な説明】
【００２６】
【図１】本発明に係る調光用フェーダの実施形態の一例を示す分解斜視図。
【図２】図１に係る調光用フェーダの（イ）正面図、（ロ）側面図、（ハ）背面図を夫々表す。
【図３】本発明に係る調光用フェーダの実施形態の他例を示す分解斜視図。
【図４】従来の調光用フェーダの側面図。
【符号の説明】
【００２７】
Ａ：調光用フェーダ
１：抵抗器
２：配線
３：プリント基板
４：摺動子
５：操作アーム
６：軸
７：目盛り
８：カバー
９，９’：弾発部材
１０：軸受け
１１：座金
１２：Ｅリング
１３：軸孔
【図１】
2005268108.tif 000003
【図２】
2005268108.tif 000004
【図３】
2005268108.tif 000005
【図４】
2005268108.tif 000006